【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
集塵室と電動送風機とを内蔵する掃除機本体と、塵埃を捕集する集塵袋を着脱自在に装着されると共に前記掃除機本体内の集塵室に着脱自在に収納される集塵袋ケースと、該集塵袋ケースに振動を与える振動体と、前記集塵袋の一部に設けられ脱臭剤が収納された脱臭剤収納ケースとを備え、前記振動体が集塵袋ケースに振動を与えることにより、前記集塵袋ケースに装着された前記集塵袋にも振動を伝え、集塵袋の内側に付着した塵埃を振るい落とすと共に、前記脱臭剤は粒状または粉状とし、振動体が集塵袋ケースに振動を与える際に、前記集塵袋の一部に設けられた脱臭剤収納ケースにも振動が加わり前記脱臭剤収納ケース内の脱臭剤が飛び出して、集塵袋内に投入される構成とした電気掃除機。
【請求項２】
集塵室と電動送風機とを内蔵する掃除機本体と、塵埃を捕集する集塵袋を着脱自在に装着されると共に前記掃除機本体内の集塵室に着脱自在に収納される集塵袋ケースと、該集塵袋ケースに振動を与える振動体と、前記集塵袋の一部に設けられ脱臭剤が収納された脱臭剤収納ケースとを備え、前記振動体が集塵袋ケースに振動を与えることにより、前記集塵袋ケースに装着された前記集塵袋にも振動を伝え、集塵袋の内側に付着した塵埃を振るい落とすと共に、前記脱臭剤は固形状とし、振動体が集塵袋ケースに振動を与える際に、前記集塵袋の一部に設けられた脱臭剤収納ケースにも振動が加わり固形状の脱臭剤が粒状化または粉状化されて、吸引風または前記脱臭剤収納ケースに加えられた振動により、前記脱臭剤が脱臭剤収納ケースから集塵袋内に投入される構成とした電気掃除機。
【手続補正２】
【補正対象書類名】明細書
【補正対象項目名】全文
【補正方法】変更
【補正の内容】
【発明の詳細な説明】
【発明の名称】電気掃除機
【技術分野】
【０００１】
本発明は、集塵袋を備えた電気掃除機に関するもので、特に、集塵袋内に付着した塵埃の除塵および塵埃の脱臭に関するものである。
【背景技術】
【０００２】
従来の、電気掃除機の集塵袋内に付着した塵埃の除塵方法として、集塵室内に、略箱状に形成された集塵ボックスが配設され、該集塵ボックスの内側に、塵埃を捕集する紙袋などからなる集塵部が着脱自在に具備され、前記集塵部の外面に振動動作を与える振動板を備え、前記集塵部の外面を振動させて除塵を行うものがある（例えば、特許文献１参照）。
【０００３】
また、従来の電気掃除機の集塵袋内に堆積した塵埃の脱臭方法として、紙パックや集塵フィルターに脱臭剤を含浸させて、その脱臭剤によって塵埃から発する臭いを脱臭するようにしたものがある（例えば、特許文献２参照）。
【０００４】
また、電気掃除機の集塵袋を収納する集塵室内空間に消臭芳香剤を設置したものも提案されている（例えば、特許文献３参照）。
【特許文献１】特開２００６−００６６０９号公報
【特許文献２】特開平５−７０８７１号公報
【特許文献３】特許第２８１００９０号公報
【発明の開示】
【発明が解決しようとする課題】
【０００５】
しかしながら、上記特許文献１に記載された集塵部（紙袋等）の除塵方法は、紙袋等に直接、振動を与える点で、除塵に関して効果的ではあるが、紙袋等が破損し易い傾向にあるため、場合によっては紙袋等の交換頻度が増したり、紙袋の厚みを増したりする必要性が生じる可能性が有った。また仮に紙袋の厚みを増すと、塵埃の吸引時に、紙袋が膨らみ難くなる恐れも有った。
【０００６】
また、上記特許文献２に記載された脱臭方法では、脱臭剤が紙パックや集塵フィルターの濾材のみに含浸されているだけなので、その濾材と塵埃との接触面積が少なく、かつ、接触時間も瞬間的であるため、十分な脱臭効果が得られない可能性があった。そのため、上記従来の紙パックや集塵フィルターを装着した電気掃除機を運転した時に、塵埃の種類や蓄積期間によっては、電気掃除機からの排気風に混じって悪臭が発せられ、不快なものになる恐れがあった。
【０００７】
また、上記特許文献３に記載された構成は、集塵室内空間に消臭芳香剤を設置することで、集塵室内に消臭成分を飛散させて、電気掃除機用の集塵袋内の塵埃の消臭を行い、運転時の排気臭を緩和させるようにしたものであるが、消臭芳香剤は、塵埃の臭気に別に香りを混合させて、排気臭を緩和するため、根本的な臭気の除去には至らず、吸引した塵埃の種類によっては、不快な異臭として電気掃除機から排気される可能性を有していた。さらに、多量の塵埃を吸引して、長期に渡って保持できる集塵袋では、吸引気流がほぼ全て塵埃中を通過するため、吸塵量の増加に従い、臭気発生量が増加し、集塵袋の許容量に近い状態では、臭気発生が大幅に増加するため、消臭芳香剤の消臭効果が、あまり得られない可能性を有していた。
【０００８】
本発明は、前記従来の課題を解決するもので、集塵袋に直接、振動を加えること無く、集塵袋の内部に付着した塵埃を効果的に除塵でき、吸引力の持続性を向上した電気掃除機を提供することを第１の目的とする。また、集塵袋内の塵埃量や、貯留期間に関係なく、電気掃除機使用時の排気に含まれる塵埃由来の臭気を大幅に低減できる、脱臭効率の良い電気掃除機を提供することを第２の目的とする。
【課題を解決するための手段】
【０００９】
本発明の電気掃除機は前記従来の課題を解決するもので、集塵室と電動送風機とを内蔵
する掃除機本体と、塵埃を捕集する集塵袋を着脱自在に装着されると共に前記掃除機本体内の集塵室に着脱自在に収納される集塵袋ケースと、該集塵袋ケースに振動を与える振動体と、前記集塵袋の一部に設けられ脱臭剤が収納された脱臭剤収納ケースとを備え、前記振動体が集塵袋ケースに振動を与えることにより、前記集塵袋ケースに装着された前記集塵袋にも振動を伝え、集塵袋の内側に付着した塵埃を振るい落とすと共に、前記脱臭剤は粒状または粉状とし、振動体が集塵袋ケースに振動を与える際に、前記集塵袋の一部に設けられた脱臭剤収納ケースにも振動が加わり前記脱臭剤収納ケース内の脱臭剤が飛び出して、集塵袋内に投入される構成とした。
【００１０】
これにより、集塵袋に直接振動を加えること無く、集塵袋を装着した集塵袋ケースを介して、間接的に集塵袋に振動を伝えることが可能になり、集塵袋を破損する心配も無く、また集塵袋の厚みを増す必要性もなく、集塵袋の内側に付着した塵埃を、振るい落として、効果的に除塵でき、吸引力の持続性を向上した電気掃除機が提供できるようになる。また、振動によって投入された脱臭剤と、振動によってほぐされた状態の塵埃とが効率よく混ざり合い、集塵袋内の塵埃から放たれる悪臭を大幅に除去でき、脱臭効率を向上した電気掃除機が提供できるようになる。さらに、脱臭剤が脱臭剤収納ケースから集塵袋内に投入される際、脱臭剤収納ケースの出口部での目図まりが、振動により発生し難くなるため、脱臭剤が目図まりにより投入されなくなる心配も無く、安定した脱臭効率が得られるようになる。
【発明の効果】
【００１１】
本発明によれば、電気掃除機の吸引力の持続性を向上できる。また、電気掃除機の脱臭効率を向上できる。
【発明を実施するための最良の形態】
【００１２】
第１の発明は、集塵室と電動送風機とを内蔵する掃除機本体と、塵埃を捕集する集塵袋を着脱自在に装着されると共に前記掃除機本体内の集塵室に着脱自在に収納される集塵袋ケースと、該集塵袋ケースに振動を与える振動体と、前記集塵袋の一部に設けられ脱臭剤が収納された脱臭剤収納ケースとを備え、前記振動体が集塵袋ケースに振動を与えることにより、前記集塵袋ケースに装着された前記集塵袋にも振動を伝え、集塵袋の内側に付着した塵埃を振るい落とすと共に、前記脱臭剤は粒状または粉状とし、振動体が集塵袋ケースに振動を与える際に、前記集塵袋の一部に設けられた脱臭剤収納ケースにも振動が加わり前記脱臭剤収納ケース内の脱臭剤が飛び出して、集塵袋内に投入される構成とした。
【００１３】
これにより、集塵袋に直接振動を加えること無く、集塵袋を装着した集塵袋ケースを介して、間接的に集塵袋に振動を伝えることが可能になり、集塵袋を破損する心配も無く、また集塵袋の厚みを増す必要性もなく、集塵袋の内側に付着した塵埃を、振るい落として、効果的に除塵でき、吸引力の持続性を向上した電気掃除機が提供できるものである。また、振動によって投入された脱臭剤と、振動によってほぐされた状態の塵埃とが効率よく混ざり合い、集塵袋内の塵埃から放たれる悪臭を大幅に除去でき、脱臭効率を向上した電気掃除機が提供できるようになる。さらに、脱臭剤が脱臭剤収納ケースから集塵袋内に投入される際、脱臭剤収納ケースの出口部での目図まりが、振動により発生し難くなるため、脱臭剤が目図まりにより投入されなくなる心配も無く、安定した脱臭効率が得られるようになる。
【００１４】
第２の発明は、集塵室と電動送風機とを内蔵する掃除機本体と、塵埃を捕集する集塵袋を着脱自在に装着されると共に前記掃除機本体内の集塵室に着脱自在に収納される集塵袋ケースと、該集塵袋ケースに振動を与える振動体と、前記集塵袋の一部に設けられ脱臭剤が収納された脱臭剤収納ケースとを備え、前記振動体が集塵袋ケースに振動を与えることにより、前記集塵袋ケースに装着された前記集塵袋にも振動を伝え、集塵袋の内側に付着
した塵埃を振るい落とすと共に、前記脱臭剤は固形状とし、振動体が集塵袋ケースに振動を与える際に、前記集塵袋の一部に設けられた脱臭剤収納ケースにも振動が加わり固形状の脱臭剤が粒状化または粉状化されて、吸引風または前記脱臭剤収納ケースに加えられた振動により、前記脱臭剤が脱臭剤収納ケースから集塵袋内に投入される構成とした。
【００１５】
これにより、集塵袋に直接振動を加えること無く、集塵袋を装着した集塵袋ケースを介して、間接的に集塵袋に振動を伝えることが可能になり、集塵袋を破損する心配も無く、また集塵袋の厚みを増す必要性もなく、集塵袋の内側に付着した塵埃を、振るい落として、効果的に除塵でき、吸引力の持続性を向上した電気掃除機が提供できるものである。また、吸引風または振動によって投入された脱臭剤と、振動によってほぐされた状態の塵埃とが効率よく混ざり合い、集塵袋内の塵埃から放たれる悪臭を大幅に除去でき、脱臭効率を向上した電気掃除機が提供できるようになる。さらに、脱臭剤が脱臭剤収納ケースから集塵袋内に投入される際、脱臭剤収納ケースの出口部での目図まりが、振動により発生し難くなるため、脱臭剤が目図まりにより投入されなくなる心配も無く、安定した脱臭効率が得られるようになる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における電気掃除機本体１の斜視図である。掃除機本体１へは後部に吸引風を発する電動送風機２を、またその前方には塵埃を捕集する集塵室３を設けている。集塵室３の内部には捕集した塵埃を一時的に溜めるための集塵袋４がセットできるようになっている。図２は集塵袋ケース７および振動体５の後方斜視図であるが、集塵袋ケース７の後方には略Ｔ字状の振動板５を配設し、振動板５の一部は前方に押し出されたとき集塵袋ケース７に当接するように設けている。振動板５の形状は略Ｔ字だけでなく、略Ｌ字や略Ｙ字、平板状などでもよい。図３は集塵袋４の分解斜視図であるが、袋状体１０の開口部Ａ１１前方へは同じく開口部Ｂ１２を有する口芯１３を接着しており、口芯１３と袋状体１０との間には脱臭剤１４を収納し、脱臭剤１４の通路である排出口１５と開口部Ｃ１６を有する脱臭剤収納ケース１７を設けている。おのおの３つの開口部はすべて連通するように配置している。
【００１８】
さらに図４は電気掃除機本体１の部分断面図である。集塵袋４後方には振動板（振動体）５を備えており、さらに集塵室３後方にはコード２０を巻き取るコードリール（電源コード巻取装置）２１を備え、コードリール２１へは凸部２２を設けている。図５は除塵機構まわりのイメージ図を示している。コードリール２１が回転する時凸部２２の頂点が描く軌跡上に略Ｌ字状のレバー２３の一部が当接するように位置し、図４に示すように本体下６内に軸２９を中心に回動自在に設置されており、カバー２８によって覆われており、集塵室３側に通じている。レバー２３の下方にはバネ２４を配設してレバー２３を付勢し、レバー２３の逆端の集塵室３側には振動板５が取り付けられるようになっている。コードリール２１はぜんまいバネ（図示せず）で付勢しており、ブレーキボタン２５の下方にはブレーキ２６およびストッパー２７を配置している。
【００１９】
以上のように構成された電気掃除機について、以下、その動作、作用を説明する。
【００２０】
図１〜３に示すように電動送風機２の気流により集塵室３に吸引されたゴミは集塵袋４に溜められるが、塵埃が溜まるにつれて吸引力が低下したり悪臭が蓄積されたりしていく。本実施の形態の掃除機においては、図４、５に示すように、使用者が掃除をする前にコード２０を引きだすことによりコード２０を巻きつけていたコードリール２１が回転、凸部２２がレバー２３の一部に当接することで押し下げられ凸部２２より開放されるとバネ
２４の付勢力により上方へ戻される。この反発力がレバー２３に取り付けられた振動板５に伝わって振動力となり、コード２０が連続的に引き出されることで振動板５は前後に振動し集塵袋ケース７の後方を叩く。
【００２１】
前回の掃除により蓄積されていた塵埃は集塵袋４の壁面に付着して吸引力低下の要因となるが、集塵袋４後方の振動板５が前後に振動し、集塵袋ケース７の後方を叩くことで集塵袋４に衝撃が伝わり、集塵袋４内の塵埃は振るい落され、あるいは叩き落され、吸引力が回復する。その後使用者が掃除機の運転を始めると、電動送風機２の気流に乗って集塵袋４の脱臭剤収納ケース１７より脱臭剤１４が排出口１５を通ってさらに排出され、掃除機の運転中持続的に脱臭剤１４が投入されることにより集塵室３内の脱臭を行うことができる。さらにコード２０引出し時に塵埃が振動により解される事で脱臭剤１４が古い塵埃に効率よく接触することができ、脱臭効率が一段と向上し、悪臭の除かれた快適な排気となる。
【００２２】
掃除が終了し、コード２０を巻き取る際にはブレーキボタン２５を押し下げブレーキ２６を解除してバネ２４の付勢力によってコード２０がコードリール２１に巻き取られるが、その際、ブレーキボタン２５を押し下げることによってストッパー２７が同時に押し下げられレバー２３も下方に押し下げられると凸部２２はレバー２３と当接しなくなり振動板５は静止したままとなる。本実施の形態では、振動板５はコード２０引出し時にのみ振動することとなり、掃除前に集塵袋４内の除塵ができて掃除の開始から強い吸引力が得られるうえ、前回の掃除の際に集めた悪臭をためこんだ古い塵埃が振動によって解された後に脱臭剤１４が投入されるため、古いゴミと脱臭剤１４が混ざり易くなり、効果的に脱臭できる。
【００２３】
一方、ストッパー２７を設けず、凸部２２をコードリール２１とは別体として２部品でクラッチ機構を構成して引出し時は凸部２２が空回りして回転せず、巻き込み時のみコードリール２１とかみ合って凸部２２がコードリール２１とともに回転するようにすれば（図示せず）、運転中に投入された脱臭剤１４を掃除終了後のコード２０巻き込み時の振動によってその日ためた塵埃に混合することができるため、次回使用時までの期間に時間をかけて脱臭することができ、より脱臭効率が向上する。
【００２４】
一方、図３において、ストッパー２７を省けばコード２０引出し時、巻きとり時共に振動板５が動作することとなり、使用直前のコード２０引出しにより除塵ができて掃除のはじめから強い吸引力が得られるだけでなく、古い塵埃が解されることで脱臭剤１４との混合をより効率よく行うことができて掃除中も排気が臭くならずに快適に掃除できる上、掃除が終了してコード２０収納する時にも振動が加えられるため、その日ためた塵埃にも脱臭剤１４を効果的に混合することができ、次回使用時までの期間に時間をかけて脱臭可能なため、更に脱臭効率が向上する。また、振動板５が当接する場所を集塵袋ケースの前方、横、上方とすることでも、衝撃を集塵袋４に伝えることが可能なため、除塵できるうえ、設計上都合良い場所に振動板５を配置することができる。
【００２５】
（実施の形態２）
図６は第２の実施の形態を示す電気掃除機の部分断面図である。本実施の形態では振動板５の動力を電動の振動装置３０としており、振動装置３０は振動板５近傍の本体下６下内部に格納され、カバー２８により覆われている。振動装置３０は図６に示すような構成となっている。図６、７に示すように振動装置３０は本体下集塵室３下部に格納され、カバー２８によって覆われる。本体ケース３１からは、可動板３２より立設した中空円柱状のアーム３３が集塵室３内へ突出しており、このアーム３３に振動板５が挿入される。アーム３３はリング状のゴム製ブッシング３４を介して本体ケース３１に固定されている。
【００２６】
本体ケース３１内には電磁石Ａ３５と電磁石Ｂ３６の吸引作用面と対向して平行に配置された磁石３７を先端部に固着した可動板３２が内蔵されており、可動板３２の磁石３７と反対側の一端はゴム製のスリーブ３８を介してネジ３９により、可動板３２が回動自在になるように本体ケース３１に固定されている。振動制御回路によりスイッチがＯＮされ電磁石Ａ３５にＡＣ１００Ｖ電源が通電されると、電磁石Ｂ３６に生じた磁界により、先端部に磁石３７を固着した可動板３２は、ネジ３９で固定した一端を支点として、アーム３３がゴム製ブッシング３４を前後にたわませながらＡＣ１００Ｖ電源の電源周波数（５０Ｈｚまたは６０Ｈｚ）に応じた周期で前後に振動する。その振動はアーム３３を介して振動板５に伝えられ振動板５も同様に前後方向（矢印方向）へ振動し、集塵袋４の外面を振動させ除塵を行うものである。
【００２７】
以上のように構成された電気掃除機について、以下、その動作、作用を説明する。
【００２８】
例えば制御により電源ＯＦＦ後に振動装置３０を一定時間作動させれば、掃除の終了後に除塵を行うことができ、次回の掃除の際に吸引力が回復して使用性が向上する。また、振動板５近傍に振動装置３０を設置することが可能なため、振動力の伝達ロスが少ないうえ、一定の振幅および周波数で振動するため除塵力も毎回一定とすることができる。また、アーム３３等の部品は他部品との摩擦がないため、磨耗などの心配がない。さらに制御によって振動させるタイミングを自在にもできるうえ、振動を与える時間も調節可能なため、脱臭剤と塵埃の混合度合いもコントロールしやすく、脱臭効率が向上する。
【産業上の利用可能性】
【００２９】
以上のように、本発明にかかる電気掃除機によれば、電気掃除機の吸引力の持続性を向上でき、また電気掃除機の脱臭効率を向上できる。
【図面の簡単な説明】
【００３０】
【図１】第１の実施の形態における電気掃除機の外観斜視図
【図２】第１の実施の形態における集塵袋ケースの外観斜視図
【図３】第１の実施の形態における集塵袋の分解斜視図
【図４】第１の実施の形態における電気掃除機の部分断面図
【図５】第１の実施の形態における除塵機構まわりのイメージ図
【図６】第２の実施の形態における電気掃除機の部分断面図
【図７】第２の実施の形態における振動装置まわりの分解斜視図
【符号の説明】
【００３１】
１    本体
２    電動送風機
３    集塵室
４    集塵袋
５    振動板（振動体）
６    本体下
７    集塵袋ケース
１０  袋状体
１１  開口部Ａ
１２  開口部Ｂ
１３  口芯
１４  脱臭剤
１５  排出口
１６  開口部Ｃ
１７  脱臭剤収納ケース
２０  コード
２１  コードリール（電源コード巻取装置）
２２  凸部
２３  レバー
２４  バネ
２５  ブレーキボタン
２６  ブレーキ
２７  ストッパー
２８  カバー
３０  振動装置
３１  本体ケース
３２  可動板
３３  アーム
３４  ブッシング
３５  電磁石Ａ
３６  電磁石Ｂ
３７  磁石
３８  スリーブ
３９  ネジ